(57)【要約】      （修正有）【課題】複数の始動入賞口に同時に遊技球が入賞した場合に、その入賞球が排出される際にスムーズな排出が可能であり、遊技盤裏面側で球詰まりを起こす虞がないパチンコ遊技機を提供する。【解決手段】始動入賞口として第一始動入賞口２１とその下方に配置されている第二始動入賞口２２とを備え、第一、第ニ始動入賞口に入賞した入賞球を遊技盤裏面側に流出させる第一、第ニ流出経路２６，２８が設けられている始動入賞装置１０と、特別遊技状態発生時に遊技球の入賞が可能となる大入賞口４１を備えており本体部が遊技盤裏面側に突出する形状に形成され前記始動入賞装置１０の下方に位置する大入賞装置１１とが遊技盤に設けられているパチンコ遊技機であり、前記大入賞装置に、始動入賞装置の第一流出経路から流出した入賞球を通過させる第一通過経路５１と、第二流出経路から流出した入賞球を通過させる第二通過経路５２とを設けた。【選択図】図６
2006181018.tif 000002
【特許請求の範囲】
【請求項１】
特別遊技状態発生時に遊技球の入賞が可能となる大入賞口を備えた大入賞装置と、遊技球が入賞することで特別遊技状態発生の契機となりうる始動入賞口を備えた始動入賞装置とが遊技盤に設けられ、
前記始動入賞装置は、第一始動入賞口と該第一始動入賞口の下方に配置されている第二始動入賞口との少なくとも二つの始動入賞口を備え、第一始動入賞口及び第二始動入賞口に入賞した入賞球を始動入賞装置の外部に流出させるための流出経路が設けられており、
前記大入賞装置が遊技盤裏面側に突出する形状に形成され前記始動入賞装置の下方に設けられているパチンコ遊技機であって、
前記大入賞装置に、前記始動入賞装置の流出経路から流出する入賞球を該大入賞装置の上方から下方に通過させるための通過経路が設けられ、
前記流出経路が、前記第一始動入賞口に入賞した入賞球を遊技盤裏面側に流出させる第一流出経路と、前記第二始動入賞口に入賞した入賞球を遊技盤裏面側に流出させる第二流出経路とから構成され、前記通過経路が、前記第一流出経路から流出した入賞球を通過させる第一通過経路と、前記第二流出経路から流出した入賞球を通過させる第二通過経路とから構成されていることを特徴とするパチンコ遊技機。
【請求項２】
前記大入賞装置の上面の前記通過経路の入り口以外の部分に、前記通過経路の入り口に向かって低くなるように形成された傾斜面からなる、始動入賞装置の流出経路から流出した入賞球を通過経路に誘導するための入賞球誘導通路が設けられている請求項１記載のパチンコ遊技機。
【発明の詳細な説明】
【技術分野】
【０００１】
本発明は、パチンコ遊技機に関するものである。
【背景技術】
【０００２】
近年のパチンコ遊技機は、遊技盤中央に可変表示装置を備え、該可変表示装置の下方に始動入賞口を備え、更に該始動入賞口の下方に大入賞口を備えたものが、所謂第一種パチンコ遊技機として一般的である。第一種パチンコ遊技機は、始動入賞口に遊技球が入賞すると、可変表示装置において図柄変動ゲームが表示される。図柄変動ゲームは、可変表示装置に、図柄が所定時間変動した後、停止して、所定の図柄の組み合わせが表示される。図柄変動ゲームにおいて、停止した所定の図柄の組み合わせが、予め定められた特定の表示結果と一致した場合、パチンコ遊技機の大入賞口が開放され、遊技者は多くの賞球を確保できる。
【０００３】
また、従来からパチンコ遊技機には、始動入賞装置に入賞した入賞球を遊技機の外部に排出するための排出経路が設けられる。従来のパチンコ遊技機では、遊技球の排出経路として、始動入賞装置の賞球流出口から遊技機裏面側に設けられた所定の賞球排出位置までの間を接続するための樋部材を設けて構成していた。
【０００４】
第一種パチンコ遊技機では、始動入賞装置の下方に大入賞装置が設けられている。始動入賞装置の出口から所定の排出位置までの排出経路は、入賞球の排出が始動入賞装置の直下にある大入賞装置を避けて左右方向に流下するように、所定の傾斜を持たせた樋部材により形成されていた。
【０００５】
更にまた、近年では前記可変表示装置を囲うように枠体を設けるとともに、該枠体の下部に遊技球の流下方向に変化を持たせるステージが設けられており、該ステージを大型化して遊技球の誘導路を複雑なものとすることが考え出されている。
【０００６】
しかし、大型化したステージを有するパチンコ遊技機では、可変表示装置の下方における遊技部スペースが減少してしまうため、始動入賞装置と大入賞装置との間隔が狭くなってしまうことから、大入賞装置を避けて入賞球を誘導する誘導部材は水平になってしまい、所定の傾斜を付けて排出経路を形成することができないという問題がある。
【０００７】
この問題を解決するため、大入賞装置の背面側に、始動入賞装置に入賞した入賞球を流下させるための遊技球流下路を設けた遊技機が公知である（例えば特許文献１参照）。
【０００８】
また一般に前記始動入賞口は、所定条件の成立によって、始動入賞口の入口を開放して遊技球が始動入賞口に入賞容易とするための開放部材を備えている。該開放部材としては普通電動役物が用いられる。
【０００９】
このような始動入賞口に普通電動役物を備えるパチンコ遊技機において、パチンコ遊技機の隙間から針金等を遊技機内に侵入させ、所定条件が成立していないにもかかわらず、開放部材を強制的に開放させて、多くの遊技球を始動入賞口に入賞させようとする不正行為が行われるおそれがある。そこで、前記不正行為を防止するために、始動入賞口の構造として、第一入賞部と開閉部材を備えた第二入賞部とを上下に配置して構成し、開放部材の変位規制手段を設けた遊技機が公知である（例えば特許文献２参照）。
【００１０】
また遊技球が始動入賞口へ入賞し易くなるように、始動入賞口の周辺の釘等を強制的に曲げて、始動入賞口への入賞率を高くすることで、より多くの賞球を払い出させようとする不正行為が行われるおそれがある。このような不正行為を防止するために、始動入賞口として第一入賞部と開閉部材を備えた第二入賞部とを上下に配置し基部と一体化してなる遊技機が提案されている（例えば特許文献３参照）。
【００１１】
【特許文献１】特開２００４−１５９９００号公報
【特許文献２】特開２００４−１３５８７８号公報
【特許文献３】特開２００４−１３５８７９号公報
【発明の開示】
【発明が解決しようとする課題】
【００１２】
また近年、遊技店では、遊技者が一番興味を示すパチンコ遊技機の図柄変動ゲームの回数を増やすために、始動入賞口への入賞率が高まるような遊技盤の釘調整をしたいという事情がある。しかし、その一方で、始動入賞口への入賞率を高くすると、入賞に伴い払い出される賞球数も増えることになってしまい、遊技店としての利益を出すことができなくなるという問題がある。そこで、パチンコ遊技機の始動入賞口への入賞に伴う賞球数を極端に減らすことで、前述した問題を一応解決できる。
【００１３】
ところで第一種パチンコ遊技機では、前述のとおり始動入賞装置に所定条件の成立によって開放する開放部材が設けられている。更に、特定条件の成立により、前記所定条件が成立し易い特定状態に移行させる機能も設けられている。その結果、特定条件の成立により、遊技球が始動入賞装置に入賞し易くなり、図柄変動ゲームの回数を増やすと同時に、遊技者に払い戻される賞球を増やし遊技者の持ち球が減らないようになっている。しかし、上記の様に始動入賞口の賞球数を極端に減らした場合、特定条件が成立した場合でも遊技者の持ち球が減ってしまうことになってしまう。
【００１４】
そこで、所定条件が非成立の状態にて遊技球の入賞が可能な第一入賞部と、所定条件が成立した場合に開放される開閉部材を備えた第二入賞部とから構成される始動入賞装置を設けたパチンコ遊技機が知られている。このパチンコ遊技機は、第一入賞口への入賞に伴う賞球数を少なくし、第二入賞部への入賞に伴う賞球数を第一入賞口の賞球よりも多くなるように構成することで、前記特定状態においても遊技者の持ち球を減らすことなく、始動入賞装置への入賞率を高くすることができ、且つ、遊技店としての利益も確保することができる。
【００１５】
特許文献２又は特許文献３に記載のパチンコ遊技機のように、複数の始動入賞口を備えるパチンコ遊技機においては、複数の入賞口から同時に遊技球が入賞することもあり、その際には、始動入賞装置と大入賞装置との狭い間隔にて、複数の入賞口から入賞した入賞球を急激に一つの流下路に導くと、複数の入賞口に同時に入賞した入賞球同士がぶつかり合い、遊技盤裏面側で球詰まりを起こすという問題があった。
【００１６】
本発明は上記従来技術の問題点を解決するためになされたものであり、複数の始動入賞口を備え、更に該始動入賞口の下方に大入賞口を備えるパチンコ遊技機において、複数の始動入賞口に同時に遊技球が入賞した場合に、その入賞球が始動入賞装置を通過して排出される際にスムーズな排出が可能であり、遊技盤裏面側で球詰まりを起こす虞がないパチンコ遊技機を提供することを目的とする。
【課題を解決するための手段】
【００１７】
本発明は、
（１）特別遊技状態発生時に遊技球の入賞が可能となる大入賞口を備えた大入賞装置と、遊技球が入賞することで特別遊技状態発生の契機となりうる始動入賞口を備えた始動入賞装置とが遊技盤に設けられ、
前記始動入賞装置は、第一始動入賞口と該第一始動入賞口の下方に配置されている第二始動入賞口との少なくとも二つの始動入賞口を備え、第一始動入賞口及び第二始動入賞口に入賞した入賞球を始動入賞装置の外部に流出させるための流出経路が設けられており、
前記大入賞装置が遊技盤裏面側に突出する形状に形成され前記始動入賞装置の下方に設けられているパチンコ遊技機であって、
前記大入賞装置に、前記始動入賞装置の流出経路から流出する入賞球を該大入賞装置の上方から下方に通過させるための通過経路が設けられ、
前記流出経路が、前記第一始動入賞口に入賞した入賞球を遊技盤裏面側に流出させる第一流出経路と、前記第二始動入賞口に入賞した入賞球を遊技盤裏面側に流出させる第二流出経路とから構成され、前記通過経路が、前記第一流出経路から流出した入賞球を通過させる第一通過経路と、前記第二流出経路から流出した入賞球を通過させる第二通過経路とから構成されていることを特徴とするパチンコ遊技機、
（２）前記大入賞装置の上面の前記通過経路の入り口以外の部分に、前記通過経路の入り口に向かって低くなるように形成された傾斜面からなる、始動入賞装置の流出経路から流出した入賞球を通過経路に誘導するための入賞球誘導通路が設けられている上記（１）記載のパチンコ遊技機、
を要旨とする。
【発明の効果】
【００１８】
本発明のパチンコ遊技機は、大入賞装置に、前記始動入賞装置の流出経路から流出する入賞球を該大入賞装置の上方から下方に通過させるための通過経路が設けられ、前記流出経路が、前記第一始動入賞口に入賞した入賞球を遊技盤裏面側に流出させる第一流出経路と、前記第二始動入賞口に入賞した入賞球を遊技盤裏面側に流出させる第二流出経路とから構成され、前記通過経路が、前記第一流出経路から流出した入賞球を通過させる第一通過経路と、前記第二流出経路から流出した入賞球を通過させる第二通過経路とから構成されていることにより、二つの始動入賞口を備える始動入賞装置に入賞した入賞球は、それぞれの始動入賞口に対応した二つの流出経路を通り始動入賞装置の遊技盤裏面側に流出され、更にこの二つの流出経路から遊技盤裏面側に流出した入賞球は、二つの流出経路に対応して設けられた大入賞装置の二つの通過経路を通り大入賞装置の上方から下方にスムーズに流下して、パチンコ遊技機裏面側の中枠又は機構セット盤に設けられた遊技球排出部に流出する。その結果、二つの始動入賞口から入賞した入賞球を、遊技盤裏面側にて球詰まりを生じさせることなく遊技球排出部に流出させてパチンコ遊技機からスムーズに排出させることができる。
【００１９】
また第一始動入賞口から入賞した入賞球と第二始動入賞口から入賞した入賞球とは、それぞれ別のルートで遊技盤裏面側を流下するから、第一始動入賞口と第二始動入賞口とに同時に入賞があった場合でも、それらの入賞球同士が遊技盤裏面側で詰まることなく、スムーズにパチンコ遊技機から排出させることができる。
【００２０】
本発明のパチンコ遊技機において、前記大入賞装置の上面の前記通過経路の入り口以外の部分に、前記通過経路の入り口に向かって低くなるように形成された傾斜面からなる、始動入賞装置の流出経路から流出した入賞球を通過経路に誘導するための入賞球誘導通路が設けられている場合、始動入賞装置の流出経路の出口の位置を、大入賞装置の通過経路の入り口の真上以外の位置に設けることが可能である。大入賞装置の内部の構造に大きな影響を与えずに、始動入賞装置の流出経路の出口を形成することができる。すなわち、始動入賞装置の複数の流出経路の出口の位置を該始動入賞装置の下方又は左側或いは右側等の任意の位置に設けることができるから、大入賞装置に汎用性を持たせることができる。
【発明を実施するための最良の形態】
【００２１】
以下、本発明の実施例を図面を用いて詳細に説明する。図１は本発明パチンコ遊技機の一実施例を示す正面図であり、図２は図１のパチンコ遊技機の裏面図である。図１及び図２に示すように、本実施例のパチンコ遊技機１は、外枠２、前枠３、中枠４、機構セット盤５から構成される本体部と、該本体部に装着される遊技盤７とから構成される。またパチンコ遊技機１の前面側には、遊技効果を高めるための各種演出様ランプや電飾部材が設けられている。
【００２２】
前枠３は機内部に配置された遊技盤７を透視保護するためのガラス枠を備え、中枠４の前面側に横開き状態で開閉可能に取り付けられている。また中枠４には前記前枠３の下方に上球皿１２が横開き状態で開閉可能に取り付けられている。更に中枠４の下部には下球皿１３、打球発射装置１４等が装着されている。
【００２３】
中枠４の裏面側には機構セット盤５が取り付けられている。前記中枠４又は機構セット盤５には、遊技球が通過する球通路８が設けられる。機構セット盤５には各種の制御基板などからなる制御装置１８、１９が取り付けられている。
【００２４】
なお本発明においてパチンコ遊技機の「前面側」とは、パチンコ遊技機を正面側から見た場合の前面側を意味し、「裏面側」とはパチンコ遊技機の背面側を意味する。また「左側」とはパチンコ遊技機を正面側から見た場合に向かって左側のことであり、「右側」とは同様にパチンコ遊技機を正面側から見た場合に向かって右側のことである。
【００２５】
図３は図１のパチンコ遊技機の遊技盤を示す正面図である。遊技盤７は、前記中枠４の遊技盤保持部に適合する形状に形成される。図３に示すように、遊技盤７の前面側には、略中央に図柄変動ゲームを実行する可変表示装置９と、可変表示装置９の中央下方向には始動入賞装置１０と、始動入賞装置１０の直下には大入賞装置１１が設けられている。可変表示装置９は図柄組合せゲーム等の複数種類の図柄を変動表示可能な液晶表示ディスプレイ（ＬＣＤ）等から構成される表示部９ａと該表示部９aを囲う表示枠部材９ｂとから形成されている。
【００２６】
更に遊技盤７の前面側には、図３に示すように、遊技球を発射する打球発射装置１４に連なる略円形状のガイドレール１５が取付けられ、該ガイドレール１５に囲まれる部分が遊技領域１６として形成されている。前記可変表示装置９、始動入賞装置１０、大入賞装置１１、及び装飾部材等が、該遊技領域１６に配置されていて、所要のゲームを展開し得るように形成されている。大入賞装置１１の下方の遊技領域の最下部には遊技球を裏面に流すアウト口２０が設けられている。
【００２７】
また図３では記載を省略したが、遊技盤７の遊技領域１６には、打球発射装置１４から遊技領域１６に打ち出された遊技球を案内・規制する部材として、多数の釘や風車等が配設されていて、遊技球の流下方向を適宜調整可能に構成されている。
【００２８】
図４は始動入賞装置の外観を示す斜視図である。図４に示すように、始動入賞装置１０は、その上部に第一始動入賞口２１が設けられ、該第一始動入賞口２１の下方に第二始動入賞口２２が設けられている。始動入賞口２１、２２に遊技球が入賞することで、特別遊技状態発生の契機となりうる図柄変動ゲームが可変表示装置９で行われる。
【００２９】
更に、第二始動入賞口２２には、左右に開放する二つの羽根部材２３、２４からなる普通電動役物２５（開放部材と言うこともある）が設けられている。普通電動役物２５の羽根部材２３、２４は、裏面側に設けたソレノイド３０の駆動により、先端が左右の外側方向に水平近くまで倒れた状態になって、開放するように構成されている。なお図４には普通電動役物２５の羽根部材２３、２４が開放した状態を示したが、図６には羽根部材２３、２４が閉鎖した状態の普通電動役物２５を示した。
【００３０】
図６は始動入賞装置と大入賞装置の正面図である。普通電動役物２５は、所定条件が成立しない場合は、図６に示すように、普通電動役物２５の羽根部材２３、２４の先端が上方を向いていて、羽根部材２３、２４が閉鎖した状態にあるが、所定条件が成立した場合に、羽根部材２３、２４が所定時間開放するように構成されている。図４に示すように、所定条件が成立した場合に普通電動役物２５の羽根部材２３、２４が開放すると、遊技盤の遊技領域１６に打ち出された遊技球は第二始動入賞口２２に入賞し易くなる。このように普通電動役物２５が閉鎖状態にあると、羽根部材２３と２４の間隔は遊技球が通過可能な幅を有しているが、第二始動入賞口２２の直上に第一始動入賞口２１を構成する部材が位置していて、第二始動入賞口２２の入り口を塞いでいる為、上部及び左右方向からは遊技球が入賞することができない。従って所定条件が成立しない状態では、始動入賞装置１０には第一始動入賞口２１からしか入賞しない。
【００３１】
図５は遊技盤の始動入賞装置と大入賞装置の部分の断面図である。図４及び図５に示すように、前記始動入賞装置１０の内部には、第一始動入賞口２１に連通し、第一始動入賞口２１に入賞した入賞球を遊技盤裏面側に流出させるための第一流出経路２６が設けられている。遊技盤裏面側における第一流出経路２６の遊技機裏面側となる奥部及び左側には側壁が設けられていて、流路が右側方向に９０°屈曲している。第一流出経路２６終端は始動入賞装置１０の右側に開口していて第一流出口２７が設けられている。また第一流出経路２６の床面２６ａが、前面側から第一流出口２７に向かって低くなる傾斜が設けられている。
【００３２】
更に始動入賞装置１０には、図５に示すように、第二始動入賞口２２に連通し該第二始動入賞口２２に入賞した入賞球を遊技盤裏面側に流出させるための第二流出経路２８が設けられている。第二流出経路２８の流路は、遊技盤裏面側の奥部及び左右に側壁が設けられていて直線状に形成されている。流路の終端は下方に開口して第二流出口２９が設けられている。第二流出経路２８の床面２８ａは、遊技機前面側から裏面側に向かって低くなる傾斜が設けられている。
【００３３】
始動入賞装置１０は、第一始動入賞口２１、第二始動入賞口２２、第一流出経路２６、、第二流出経路２８及び普通電動役物２５等を構成する各部材が基板３３に取り付けられて構成される。遊技盤前面側となる基板３３表面側であって第一始動入賞口２１の下に、第二始動入賞口及び普通電動役物が位置し、遊技盤裏面側となる基板３３裏面側に第一流出口２７、第二流出口２９、ソレノイド３０等が位置するように配置されている。
【００３４】
また図４及び図５に示すように始動入賞装置１０の第一始動入賞口２１に、遊技球が入賞したことを検知する目的で、遊技球を通過した際に信号を発生する入賞球センサー３１が設けられている。第二始動入賞口２２には、図５に示すように、第二流出経路２８の出口となる第二流出口２９に、入賞球センサー３２が設けられている。
【００３５】
図７は大入賞装置の外観を示す斜視図である。大入賞装置１１は図７に示すように、遊技盤の裏面側に位置する本体部１１ａと遊技盤の前面側に位置する基板１１ｂとからなり、基板１１ｂには横長に開口した大入賞口４１が設けられ、該大入賞口４１の開口域には大入賞扉４２が設けられている。大入賞装置１１は、図５に示すように、本体部１１ａが遊技盤７の裏面側に位置し、大入賞扉４２及び周囲に設けた基板１１ｂが遊技盤７の前面側に臨むよう遊技盤７に取付けられている。
【００３６】
大入賞口４１は、図７に示すように、大入賞扉４２により常に閉鎖した状態とされている。大入賞扉４２は、本体部１１ａの裏面側左に設けられたソレノイド４３に連結されている。大入賞扉４２はソレノイド４３の駆動により、下辺の左右両端部を軸として上辺が前面側に倒れることで、大入賞口４１が開放状態となる（図５参照）。大入賞口４１は、特別遊技状態発生時に開放状態となり、遊技球の入賞が可能となる。
【００３７】
図８は図７の大入賞装置の上面板を除いた状態を示す平面図である。前記大入賞口４１から連通する本体部１１ａの内部には、図５及び図８に示すように本体部１１ａの内部空間の奥側であって、左右方向略中央位置の床面４７に、下側に開口した入賞球の排出口４５が設けられている。また本体部１１ａの床面４７は、図５に示すように、前面側の大入賞口入り口側から裏面側の排出口４５に向かって低くなる傾斜と、左右から中央に向かって低くなる傾斜が設けられている。
【００３８】
図８に示すように、大入賞口４１に入賞した入賞球を、左右端部側から略中央の排出口４５に導くために、大入賞装置１１の本体部１１ａの内部空間の裏面側となる奥の壁が、右誘導壁４６ａ、左誘導壁４６ｂとして形成されている。大入賞口４２には、図５に示すように、排出口４５に入賞球センサー４８が設けられている。
【００３９】
更に大入賞装置１１の本体部１１ａには、図７及び図８に示すように、該大入賞装置１１を上下に貫通する第一貫通孔５１と第二貫通孔５２との二つの貫通孔が設けられている。第一貫通孔５１は、大入賞装置１１を正面から見て前記排出口４５の右側であって、大入賞装置１１を上面から見て右側の右誘導壁４６ａの後方に設けられている。第二貫通孔５２は、大入賞装置を正面から見て前記排出口４５の左側であって、大入賞装置１１を上面から見て左側の左誘導壁４６ｂの後方に設けられている。
【００４０】
第一貫通孔５１及び第二貫通孔５２は、遊技球１個がスムーズに通過できる程度の大きさの断面が四角形の角柱状に形成されている。また、第一貫通孔５１及び第二貫通孔５２の周囲は大入賞装置を構成する部材により側壁が設けられ、大入賞口の内部空間とは区別されていて、大入賞口の内部空間に始動入賞口からの入賞球が流入しないように形成されている。第一貫通孔５１及び第二貫通孔５２は、前記始動入賞装置１０の流出口２７、２８から流出する入賞球を大入賞装置１１の上方から下方に通過させるための第一通過経路及び第二通過経路の一態様である。なお本発明において第一通過経路及び第二通過経路は、貫通孔に限定されず、大入賞装置の上から下に始動入賞装置から流出する入賞球を通過させることが可能な構成であればよい。
【００４１】
大入賞装置１１は、図８に示すように、大入賞口４１から入賞した入賞球を排出する排出口４５を奥方に設け、該入賞球を排出口４５に導く誘導壁４６ａ、４６ｂを設け、第一貫通孔５１を、誘導壁の後方であって、排出口４５の左右どちらか一方に配設させ、第二貫通孔５２を、誘導壁の後側であって前記排出口４５の左右の前記第一貫通孔５１とは反対側に配設させて構成することが好ましい。このような構成であれば、貫通孔５１、５２は大入賞装置１１の入賞球の排出を妨げない位置に設けられているために、大入賞口４１の入賞球をスムーズに排出することができる。
【００４２】
図９は図７の大入賞装置の平面図である。大入賞装置の上面には、第一貫通孔５１と第二貫通孔５２との略中間位置である排出口４５の真上付近から左側の第二貫通孔５２に向かって漸次低くなる下り傾斜として形成された傾斜面からなり、該傾斜面が本体部１１ａの上面よりも低くなっている入賞球誘導通路５３が設けられている。入賞球誘導通路５３の右側は、始動入賞装置１０の第二流出口２９に臨む位置に設けられている。始動入賞装置１０の第二流出経路２８から流出した入賞球は、入賞球誘導通路５３に落下して該通路を流下して第二貫通孔５２に誘導される。
【００４３】
図１０は遊技盤裏面側の入賞球の流路を示す説明図である。図６及び図１０に示すように、遊技盤７の裏面には、前記第一流出口２７から排出された入賞球を前記第一貫通孔５１に案内する入賞球案内樋６１が、始動入賞装置１０の右側に設けられている。
【００４４】
以下、このように構成されたパチンコ遊技機の作用を説明する。図６に示すように、始動入賞装置１０の第一始動入賞口２１に入賞した入賞球Ｐは、第一流出経路２６を流下し第一流出口２７から排出される。この際、第一流出口２７は第一流出経路２６の側方に向いて設けられているため、排出される入賞球Ｐは始動入賞装置１０の右側に向けて排出される。
【００４５】
始動入賞装置１０の第一流出口２７から排出された入賞球Ｐ１は、第一流出経路２６の右側方に設けた前記入賞球案内樋６１に流入し、入賞球案内樋６１内部を通り前記大入賞装置１１の上面右側の第一貫通孔５１の直上まで導かれる。入賞球Ｐ１は大入賞装置１１の上面に設けられた第一貫通孔５１の入口から流入して、大入賞装置１１を上下に貫通して大入賞装置１１の下面から排出される。図１０に、第一始動入賞口の入賞球の流出経路Ｌ１を示した。
【００４６】
図１１はパチンコ遊技機の入賞球の流路を示す説明図である。図１１に示すように、大入賞装置１１の第一貫通孔５１から排出された入賞球Ｐ１は、パチンコ遊技機１の本体部（中枠４又は機構セット盤５）に流下して、パチンコ遊技機外に排出される。
【００４７】
図５に示すように、所定条件が成立した場合、始動入賞装置１０の普通電動役物２５の羽根部材２３、２４が開放して第二始動入賞口２２に入賞した入賞球Ｐは、第二流出経路２８を流下し、第二流出口２９から排出される。図６に示すように、第二流出口２９は第二流出経路２８の下方に向いて設けられているため、排出される入賞球Ｐは始動入賞装置１０の真下に向けて排出される。
【００４８】
始動入賞装置１０の第二流出口２９から排出された入賞球Ｐ２は、大入賞装置の上面に設けられた入賞球誘導通路５３に落下して、図６に示すように、入賞球誘導通路５３に沿って第二貫通孔５２の入口に導かれる。入賞球は第二貫通孔５２の入口から流入して、大入賞装置１１を上下に貫通して大入賞装置１１の下面から排出される。第二始動入賞口２２の入賞球の流出経路Ｌ２を図１０に示した。
【００４９】
図１１に示すように、大入賞装置１１の第二貫通孔５２から排出された入賞球Ｐ２は、パチンコ遊技機１の本体部（中枠４又は機構セット盤５）に流下して、パチンコ遊技機外に排出される。なおこの入賞球Ｐ２の流下位置は前記第一貫通孔５１の流下位置とは異なる位置に設けられている。
【００５０】
このように、第一始動入賞口２１からの入賞球と第二始動入賞口２２からの入賞球Ｐ１、Ｐ２は、それぞれ全く別々に形成された流出経路Ｌ１とＬ２を流下して大入賞装置を通過して遊技盤の裏面に排出される。
【００５１】
なお、本実施例のパチンコ遊技機のゲーム内容は、下記の通りである。まず遊技盤面に打ち出された遊技球を始動入賞口２１に入賞させると、可変表示装置９において図柄変動ゲームが行われる。図柄変動ゲームの結果が、予め定められた結果（例えば、図柄が「７」、「７」、「７」等が揃う）となると、大入賞装置１１に設けられている大入賞口４１が開口して大当り遊技状態等の特別遊技状態が発生する。大入賞口４１が開口すると遊技球が入賞可能となり、大入賞口４１に遊技球を入賞させることで、遊技者は大量の賞球を得ることが容易となる。
【００５２】
本実施例のパチンコ遊技機１は、第二始動入賞口２２から入賞した入賞球が排出される第二流出口２９は第二流出経路２８の下方に向いて設けられていて、入賞球は始動入賞装置１０の真下に向けて排出されるように形成されているが、第二流出口２９から流出される入賞球Ｐ２が入賞球誘導通路５３上に落下するような構成であれば、第二流出口２９は左右の側方に設けられていてもよい。この場合でも、側方に向けて設けられた第二流出口２９から落下した入賞球Ｐ２は、入賞誘導通路５３に沿って第二貫通孔５２の入り口に導かれることとなる。
【図面の簡単な説明】
【００５３】
【図１】本発明パチンコ遊技機の一実施例を示す正面図である。
【図２】図１のパチンコ遊技機の裏面図である。
【図３】図１のパチンコ遊技機の遊技盤を示す正面図である。
【図４】図１のパチンコ遊技機の始動入賞装置の外観を示す斜視図である。
【図５】図１のパチンコ遊技機の遊技盤の始動入賞装置と大入賞装置の部分の断面図である。
【図６】図１のパチンコ遊技機の始動入賞装置と大入賞装置の正面図である。
【図７】図１のパチンコ遊技機の大入賞装置の外観を示す斜視図である。
【図８】図７の大入賞装置の上面板を除いた状態を示す平面図である。
【図９】図７の大入賞装置の平面図である。
【図１０】図１のパチンコ遊技機の遊技盤裏面側の入賞球の流路を示す説明図である。
【図１１】図１のパチンコ遊技機裏面側の入賞球の流路を示す説明図である。
【符号の説明】
【００５４】
１  パチンコ遊技機
７  遊技盤
１０  始動入賞装置
１１  大入賞装置
１１ａ  大入賞装置の本体部
２１  第一始動入賞口
２２  第二始動入賞口
２６  第一流出経路
２８  第二流出経路
４１  大入賞口
４２  大入賞扉
５１  第一貫通孔
５２  第二貫通孔
５３  入賞球誘導通路
【図１】
2006181018.tif 000003
【図２】
2006181018.tif 000004
【図３】
2006181018.tif 000005
【図４】
2006181018.tif 000006
【図５】
2006181018.tif 000007
【図６】
2006181018.tif 000008
【図７】
2006181018.tif 000009
【図８】
2006181018.tif 000010
【図９】
2006181018.tif 000011
【図１０】
2006181018.tif 000012
【図１１】
2006181018.tif 000013